【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
情報処理装置が実行する情報処理方法であって、
絞り込み条件と情報との適合の度合いを示す値である適合度を算出する適合度算出工程と、
複数種類の数値で構成される数値列を取得する数値列取得工程と、
前記適合度が算出された情報のうちの少なくとも一部である複数の情報を処理対象情報とし、前記適合度の高い順に前記処理対象情報を順位付け、前記処理対象情報それぞれの順位を示す値と、前記取得された数値列とに基づいて、前記処理対象情報それぞれの表示順位を決定する表示順位決定工程と
を含むことを特徴とする情報処理方法。
【請求項２】
前記数値列取得工程において取得される数値列は、前記処理対象情報の個数以上の数値で構成される
ことを特徴とする請求項１に記載の情報処理方法。
【請求項３】
前記表示順位決定工程において、前記数値列に含まれる一の数値と、適合度の高い順に順位付けした際の順位が後の順位になるほど小さくなる値とを掛け合わせた値、又は、前記数値列に含まれる一の数値と、適合度の高い順に順位付けした際の順位が後の順位になるほど小さくなる値とを足し合わせた値、を用いて、前記処理対象情報それぞれの表示順位を決定する
ことを特徴とする請求項１又は請求項２に記載の情報処理方法。
【請求項４】
情報処理装置が実行する情報処理方法であって、
絞り込み条件と情報との適合の度合いを示す値である適合度を算出する適合度算出工程と、
複数種類の数値で構成される数値列を取得する数値列取得工程と、
前記適合度が算出された情報のうちの少なくとも一部である複数の情報を処理対象情報とし、前記処理対象情報それぞれの前記適合度と、前記取得された数値列とに基づいて、前記処理対象情報それぞれの表示順位を決定する表示順位決定工程とを含み、
前記数値列取得工程において取得される数値列は、前記処理対象情報の個数以上の数値で構成される
ことを特徴とする情報処理方法。
【請求項５】
前記表示順位決定工程において、前記適合度が大きいほど、かつ前記数値列の数値が大きいほど上位となるように表示順位を決定する
ことを特徴とする請求項４に記載の情報処理方法。
【請求項６】
前記表示順位決定工程において、前記数値列に含まれる一の数値と前記適合度を用いた値とを掛け合わせた値、又は、前記数値列に含まれる一の数値と前記適合度を用いた値とを足し合わせた値、を用いて、前記処理対象情報それぞれの表示順位を決定する
ことを特徴とする請求項５に記載の情報処理方法。
【請求項７】
前記数値列取得工程において、各々の数値列が複数種類の数値で構成されており、各々の数値列の中の少なくとも一部の数値が互いに異なる複数個の数値列の中から１つの数値列を選択し、その数値列を取得する
ことを特徴とする請求項１から請求項６のいずれか１項に記載の情報処理方法。
【請求項８】
前記数値列取得工程において、同一の絞り込み条件に対して、前記表示順位の決定回数を計数し、前記決定回数が所定回数増えるごとに前回取得された数値列とは異なる数値列を取得する
ことを特徴とする請求項１から請求項７のいずれか１項に記載の情報処理方法。
【請求項９】
前記絞り込み条件と、前記絞り込み条件を利用したユーザ又は当該ユーザが利用した端末装置を識別するための利用主体識別子と、前記処理対象情報の閲覧を要求された回数である閲覧回数とを関連付けた閲覧回数情報を作成する閲覧回数情報作成工程を更に含み、
前記数値列取得工程において、前記閲覧回数情報を参照しながら、一の絞り込み条件及び一の利用主体識別子に対応する閲覧回数が所定回数増えるごとに前回取得された数値列とは異なる数値列を取得する
ことを特徴とする請求項１から請求項７のいずれか１項に記載の情報処理方法。
【請求項１０】
前記数値列取得工程において、前記表示順位が決定されるごとに前回取得された数値列とは異なる数値列を取得する
ことを特徴とする請求項１から請求項７のいずれか１項に記載の情報処理方法。
【請求項１１】
前記数値列取得工程において、所定時間経過するごとに前回取得された数値列とは異なる数値列を取得する
ことを特徴とする請求項１から請求項７のいずれか１項に記載の情報処理方法。
【請求項１２】
前記絞り込み条件は、ユーザに推薦する情報を抽出するための条件であり、
前記適合度算出工程では、ユーザに推薦する度合いが高いほど値が大きくなるように前記適合度を算出する
ことを特徴とする請求項１から１１のいずれか１項に記載の情報処理方法。
【請求項１３】
前記絞り込み条件は、一の情報に関連する他の情報を抽出するための条件であり、
前記適合度算出工程では、一の情報と他の情報との関連度合いが高いほど値が大きくなるように前記適合度を算出する
ことを特徴とする請求項１から１１のいずれか１項に記載の情報処理方法。
【請求項１４】
前記絞り込み条件は、検索条件であり、
前記適合度算出工程では、情報と前記検索条件との適合度合いが高いほど大きな値となるように前記適合度を算出する
ことを特徴とする請求項１から１１のいずれか１項に記載の情報処理方法。
【請求項１５】
請求項１から１４のいずれか１項に記載の情報処理方法を実行する情報処理装置と通信可能な表示装置が実行する表示方法であって、
前記絞り込み条件を送信する送信工程と、
前記処理対象情報と、前記表示順位を示す情報とを受信する受信工程と、
前記受信した表示順位に基づいて、前記受信した処理対象情報を表示部に表示させる表示工程と
を含むことを特徴とする表示方法。
【請求項１６】
絞り込み条件と情報との適合の度合いを示す値である適合度を算出する適合度算出部と、
複数種類の数値で構成される数値列を取得する数値列取得部と、
前記適合度が算出された情報のうちの少なくとも一部である複数の情報を処理対象情報とし、前記適合度の高い順に前記処理対象情報を順位付け、前記処理対象情報それぞれの順位を示す値と、前記取得された数値列とに基づいて、前記処理対象情報それぞれの表示順位を決定する表示順位決定部と
を含むことを特徴とする情報処理装置。
【請求項１７】
絞り込み条件と情報との適合の度合いを示す値である適合度を算出する適合度算出部と、
複数種類の数値で構成される数値列を取得する数値列取得部と、
前記適合度が算出された情報のうちの少なくとも一部である複数の情報を処理対象情報とし、前記処理対象情報それぞれの前記適合度と、前記取得された数値列とに基づいて、前記処理対象情報それぞれの表示順位を決定する表示順位決定部とを含み、
前記数値列取得部において取得される数値列は、前記処理対象情報の個数以上の数値で構成される
ことを特徴とする情報処理装置。
【請求項１８】
請求項１から１４のいずれか１項に記載の情報処理方法を実行する情報処理装置と通信可能な表示装置であって、
前記絞り込み条件を送信する送信部と、
前記処理対象情報と、前記表示順位を示す情報とを受信する受信部と、
前記受信した表示順位に基づいて、前記受信した処理対象情報を表示する表示部と
を含むことを特徴とする表示装置。
【請求項１９】
絞り込み条件と情報との適合の度合いを示す値である適合度を算出する適合度算出ステップと、
複数種類の数値で構成される数値列を取得する数値列取得ステップと、
前記適合度が算出された情報のうちの少なくとも一部である複数の情報を処理対象情報とし、前記適合度の高い順に前記処理対象情報を順位付け、前記処理対象情報それぞれの順位を示す値と、前記取得された数値列とに基づいて、前記処理対象情報それぞれの表示順位を決定する表示順位決定ステップと
をコンピュータに実行させることを特徴とする情報処理プログラム。
【請求項２０】
絞り込み条件と情報との適合の度合いを示す値である適合度を算出する適合度算出ステップと、
複数種類の数値で構成される数値列を取得する数値列取得ステップと、
前記適合度が算出された情報のうちの少なくとも一部である複数の情報を処理対象情報とし、前記処理対象情報それぞれの前記適合度と、前記取得された数値列とに基づいて、前記処理対象情報それぞれの表示順位を決定する表示順位決定ステップとをコンピュータに実行させ、
前記数値列取得ステップにおいて取得される数値列は、前記処理対象情報の個数以上の数値で構成される
ことを特徴とする情報処理プログラム。
【請求項２１】
請求項１から１４のいずれか１項に記載の情報処理方法を実行する情報処理装置と通信可能な表示装置のコンピュータに実行させる表示プログラムであって、
前記絞り込み条件を送信する送信ステップと、
前記処理対象情報と、前記表示順位を示す情報とを受信する受信ステップと、
前記受信した表示順位に基づいて、前記受信した処理対象情報を表示部に表示させる表示ステップと
を実行させることを特徴とする表示プログラム。
【手続補正２】
【補正対象書類名】明細書
【補正対象項目名】０００８
【補正方法】変更
【補正の内容】
【０００８】
情報処理装置が実行する情報処理方法であって、絞り込み条件と情報との適合の度合いを示す値である適合度を算出する適合度算出工程と、複数種類の数値で構成される数値列を取得する数値列取得工程と、前記適合度が算出された情報のうちの少なくとも一部である複数の情報を処理対象情報とし、前記適合度の高い順に前記処理対象情報を順位付け、前記処理対象情報それぞれの順位を示す値と、前記取得された数値列とに基づいて、前記処理対象情報それぞれの表示順位を決定する表示順位決定工程とを含むことを特徴とする情報処理方法を提供する。
情報処理装置が実行する情報処理方法であって、絞り込み条件と情報との適合の度合いを示す値である適合度を算出する適合度算出工程と、複数種類の数値で構成される数値列を取得する数値列取得工程と、前記適合度が算出された情報のうちの少なくとも一部である複数の情報を処理対象情報とし、前記処理対象情報それぞれの前記適合度と、前記取得された数値列とに基づいて、前記処理対象情報それぞれの表示順位を決定する表示順位決定工程とを含み、前記数値列取得工程において取得される数値列は、前記処理対象情報の個数以上の数値で構成されることを特徴とする情報処理方法を提供する。
絞り込み条件と情報との適合の度合いを示す値である適合度を算出する適合度算出部と、複数種類の数値で構成される数値列を取得する数値列取得部と、前記適合度が算出された情報のうちの少なくとも一部である複数の情報を処理対象情報とし、前記適合度の高い順に前記処理対象情報を順位付け、前記処理対象情報それぞれの順位を示す値と、前記取得された数値列とに基づいて、前記処理対象情報それぞれの表示順位を決定する表示順位決定部とを含むことを特徴とする情報処理装置を提供する。
絞り込み条件と情報との適合の度合いを示す値である適合度を算出する適合度算出部と、複数種類の数値で構成される数値列を取得する数値列取得部と、前記適合度が算出された情報のうちの少なくとも一部である複数の情報を処理対象情報とし、前記処理対象情報それぞれの前記適合度と、前記取得された数値列とに基づいて、前記処理対象情報それぞれの表示順位を決定する表示順位決定部とを含み、前記数値列取得部において取得される数値列は、前記処理対象情報の個数以上の数値で構成されることを特徴とする情報処理装置を提供する。
絞り込み条件と情報との適合の度合いを示す値である適合度を算出する適合度算出ステップと、複数種類の数値で構成される数値列を取得する数値列取得ステップと、前記適合度が算出された情報のうちの少なくとも一部である複数の情報を処理対象情報とし、前記適合度の高い順に前記処理対象情報を順位付け、前記処理対象情報それぞれの順位を示す値と、前記取得された数値列とに基づいて、前記処理対象情報それぞれの表示順位を決定する表示順位決定ステップとをコンピュータに実行させることを特徴とする情報処理プログラムを提供する。
絞り込み条件と情報との適合の度合いを示す値である適合度を算出する適合度算出ステップと、複数種類の数値で構成される数値列を取得する数値列取得ステップと、前記適合度が算出された情報のうちの少なくとも一部である複数の情報を処理対象情報とし、前記処理対象情報それぞれの前記適合度と、前記取得された数値列とに基づいて、前記処理対象情報それぞれの表示順位を決定する表示順位決定ステップとをコンピュータに実行させ、前記数値列取得ステップにおいて取得される数値列は、前記処理対象情報の個数以上の数値で構成されることを特徴とする情報処理プログラムを提供する。